(57)【要約】【課題】柱上用、傾斜面用、ブランコ作業等のあらゆる作業に使用できる多目的の多機能接続リングを備え、着用者の安全と作業性を高めた、多目的なフルボディハーネスを提供する。【解決手段】着用者の胴に締着する胴締めベルト２と、胴締めベルト２の両側面に付設される左右の多機能接続リング１と、これらの多機能接続リング１に両端部がそれぞれ接続される左右の肩ベルト３と、左右の多機能接続リング１にそれぞれ接続される腿掛ベルト４から構成される。【選択図】        図２
2004275581.tif 000002
【特許請求の範囲】
【請求項１】
着用者の胴に締着する胴締めベルトと、該胴締めベルトの両側面に付設される左右の多機能接続リングと、これらの多機能接続リングに両端部がそれぞれ接続される左右の肩ベルトと、上記左右の多機能接続リングにそれぞれ接続される腿掛ベルトから構成されることを特徴とするフルボディハーネス。
【請求項２】
上記多機能接続リングが、上下方向にほぼ直線状に延びる胴締めベルト接続部と、該胴締めベルト接続部の上端からほぼ円弧状に湾曲する肩掛ベルト接続部と、該肩掛ベルト接続部の他端から上記胴締めベルト接続部の下端にほぼ直線状に傾斜して延びる腿掛ベルト接続部により全体として環状に構成されることを特徴とする請求項１に記載のフルボディハーネス。
【請求項３】
上記腿掛ベルト接続部の内側に内側リングを一体的に設けたことを特徴とする請求項２に記載のフルボディハーネス。
【請求項４】
上記胴締めベルト接続部が胴締めベルトの幅より長い寸法を有し、該胴締めベルト接続部が胴締めベルトに対して上下にスライド移動できるように接続されることを特徴とする請求項２または３に記載のフルボディハーネス。
【請求項５】
上記肩掛ベルト接続部が肩掛ベルトの幅より長い寸法を有し、該肩掛ベルトの両端部が、肩掛ベルト接続部の円弧に沿ってスライド移動するように接続されることを特徴とする請求項２、３または４に記載のフルボディハーネス。
【請求項６】
上記腿掛ベルトが、上記腿掛ベルト接続部に接続されることを特徴とする請求項１、２、３、４または５に記載のフルボディハーネス。
【請求項７】
腿掛ベルトに、幅が約５０ｍｍ以上、厚さが２ｍｍ以上のものを使用することを特徴とする請求項１、２、３、４、５または６に記載のフルボディハーネス。
【請求項８】
左右の腿掛ベルトが、荷重分散ベルトにより一体的に接続されることを特徴とする請求項６または７に記載のフルボディハーネス。
【請求項９】
上記肩掛ベルトと上記腿掛ベルトを分割構造とすることを特徴とする請求項１、２、３、４、５、６、７または８に記載のフルボディハーネス。
【請求項１０】
肩掛ベルトに装着される肩パットが、ハーネス用Ｄ環止めに連結されることを特徴とする請求項１、２、３、４、５、６、７、８または９に記載のフルボディハーネス。
【請求項１１】
上記多機能接続リングの着用者側にパットを装着することを特徴とする請求項１、２、３、４、５、６、７、８、９または１０に記載のフルボディハーネス。
【発明の詳細な説明】
【０００１】
【発明の属する技術分野】
本発明は、フルボディハーネスに関する。
【０００２】
【従来の技術】
従来のフルボディハーネスは、下記のような構成であった。
Ａ）上半身部ベルトと下半身部ベルト又は肩掛ベルトと腿掛ベルトが一体のベルト、若しくはバックルによって直接連結された状態によって構成されており、上半身部ベルトあるいは下半身部ベルトのバックルを締めると、ハーネス全体のサイズが変わる構造であった。
Ｂ）鉄製、プラスチック製、革製等の固定具により、上半身部分や下半身部分のベルトその他と胴締めベルトを固定していた。
Ｃ）落下阻止用のＤ環が背中に付いているだけであった。
Ｄ）胴締めベルトが肩掛ベルトまたは腿掛ベルトに固定接続されていた。
Ｅ）腿部を通過する腿掛ベルトの巻き付け方として、いわゆるハイレグ型とハチマキ型があった。このハイレグ型は、腰骨の辺り若しくはそれよりも上に腿掛ベルトの交点が存在して、その交点からベルトが腿部を通過するものである。上記ハチマキ型は、腿部にハチマキを巻くように巻き付ける方法である。
Ｆ）腿掛ベルトは、着心地の良さをユーザーにアピールするために、薄く、幅の細いベルトが多く採用されていた。
Ｇ）着心地を良くするため、或いは組立時に部品点数を減らすために、左右の腿掛ベルト部を繋げていた臀部部分のベルト部があった。
Ｈ）上半身部分と下半身部分のベルトの交差する部分に金属製、プラスチック製、革製等のベルト通し等に硬い材質が使用されていた。
Ｉ）通常は肩掛ベルトに肩パットを装着することはなく、ユーザー希望により後加工の縫製で装着されていた。
【０００３】
しかしながら、上記従来のフルボディハーネスは、下記のような問題点があった。
ａ）着用者が落下した時、背中に掛けたランヤードが引っ張られ、その力は肩掛ベルトを上方に大きく引き上げてしまうため、その結果肩掛ベルトの延長上にあり連動する腿掛ベルトは円周が極端に小さくなることによって、着用者の腿全周を強烈に締め上げてしまうため、非常に危険であった。
ｂ）着用者が前屈み込み動作や仰向けに反る動作をする場合、肩掛ベルトが固定されているため、着用者の肩に擦れることや、突っ張り感があり、着用者の作業性の障害になっていた。
ｃ）従来の一本吊り安全帯と同様に高所からの落下阻止のみを目的として作られているため、落下阻止用のＤ環が背中に付いているだけであった。そのため吊り下がったままの状態で作業する、柱上作業、傾斜面作業、ブランコ作業等のような作業の場合には、別の安全用品が必要であったため、ユーザーはそのために新たに安全用品を購入しなくてはならず、作業者は作業の内容によって安全用品を取り替える必要があり、コストや手間が掛かっていた。
柱上作業では、従来の柱上用安全帯を使用していたが、これは、腰のみで身体を支えていたため、腰の負担が大きく、着用者の健康上、問題があった。
また、傾斜面作業では、胴締めベルトに吊り掛けられた専用のパットを臀部に設け、そのパットに座るように身体を支えていたため、上半身と下半身のバランスが悪く、作業姿勢が不安定になっていた。また、作業中にパットが腰の辺りまで吊り上がってきてしまうことや、腿部外側からロープに吊られるので、脚を開くことが出来ず、横方向に歩くことが困難であり、作業性に問題があった。特に、肩掛ベルトがないため、傾斜面上で転倒等により逆さまになった着用者が傾斜面用作業帯から抜け落ちて死亡する事故もあった。
さらに、ブランコ作業で、従来は、ロープ両端に輪を作り、その輪に、両端がロープを通すように削られた木製の板を嵌め込み、作業者は、その木製板の上に１本吊り安全帯を付けた状態で座り作業をしていた。これでは何時板がロープから外れてもおかしくなく、作業者の作業姿勢も不安定極まりない状況で、非常に危険であった。
ｄ）通常は、胴締めベルトは腰の位置にあるが、胴締めベルトが肩掛ベルトまたは腿掛ベルトに固定接続されていると、着用者の落下時または吊り下がり時に、その荷重により各ベルトが伸び、その結果、胴締めベルトが当初の位置よりも上方に吊り上がる、吊り上がり現象を起こすため、胴締めベルトが着用者の肋骨の下に入り込むなことがあり、落下時あるいは吊り下がり時に、とても痛い思いをしていた。特に、腹部の脂肪が少ないやせ形の着用者には、肋骨骨折等の危険性があった。
ｅ）上記ハイレグ型の場合には、股部にしっかりベルトを巻き付けようとした場合、もともとベルトの取付け角度が急なため、ベルトを締めようとすると、急なベルトの角度がより直線的になろうとすることにより、腰部のベルトの交点が下がってきて、形状的な破綻を来すことによって、腿部のフィット感を損なうばかりか、場合によっては、下半身にベルトが引っ張られることにより、上半身部をより窮屈な状態にしてしまっていた。そのため、事実上、腿部を着用者にフィットさせることは困難であった。また、着用者がしゃがみ込み姿勢をとった場合、腿掛ベルトが腿部から離れて臀部下側で、ブラブラした状態になり、見た目の悪さや、作業中に突起物に引っ掛かける危険性があった。
さらには、そのブラブラした状態から、何らかの要因で落下した場合、落下を阻止する際に、男性の場合に陰茎や睾丸をベルトに挟んでしまう危険性があった。
また、上記ハチマキ型の場合には、そもそも着用者は腿にベルトを巻き付ける習慣がないため、腿部外側に違和感があり、横方向に脚を広げるときに広げ辛さを感じることがあった。それ故に、作業者に動き辛さを感じさせ、作業者の危険回避能力を鈍らせ、また、疲れ易さを助長していた。
ｆ）従来、腿掛ベルトは、着心地の良さをユーザーにアピールするために、薄く、幅の細いベルトが多く採用されていたが、特に体重の重いユーザーが落下した場合、腿掛ベルトが腿に食い込み、非常に危険と考えられていた。また、吊り下がり時は腿掛ベルトが身体に食い込み、非常に痛い思いをしていた。またさらに、単純に幅の広いベルトを使えば、面圧は下がり、着用者の身体の負担は軽減されると考えられていたが、実際には厚みの薄いベルトでは、ベルトに荷重がかかると、その柔らかさのために、ベルトに長手方向のシワが出来て変形し、そのシワの部分が着用者の腿部に食い込んでくるため、実際のベルト幅より、一割程度狭い幅を持った厚みのあるベルトを用いたのと同等の身体保護性能しかなかった。そのため、より体重のある作業者には従来の腿掛ベルトでは不十分であった。
ｇ）従来の臀部部分のベルト部等は、落下時あるいは吊り下がり時、衝撃吸収や着用者の身体保護に貢献せず、落下時あるいは吊り下がり時の荷重は腿部内側でほぼ全て受け持っていた。そのため、腿部内側の負担が大きく、着用者の身体にとって大きな負担であった。
ｈ）上半身部分と下半身部分のベルトの交差する部分に鉄製、プラスチック製、革製等のベルト通し等や固定具等に硬い材質が使用されていたため、落下時あるいは吊り下がり時に、吊り上がり現象を起こす事で、それらの部材が着用者の身体に食い込もうとするため、着用者は、落下時あるいは吊り下がり時に、とても痛い思いをしていた。
ｉ）着用者の誤使用により背中の中央部にＤ環の位置を設置すると、本来のランヤードの重さ以上の重さを感じてしまうことや、着用者の肩と、肩掛ベルトが擦れてしまい、着用者の肩にアザを作ることがあった。また、ランヤードの位置は背中のできるだけ高い位置で、しかも上を向いても首が当たらない位置とするように指導しても、ユーザーにはなかなか理解されなかった。さらに、従来の肩パットは、縫製により装着されていたため、着用者の体型に合わせて背中のＤ環の位置を変えることや、肩パットの位置を変えることは、不可能であった。
【０００４】
【発明が解決しようとする課題】
本発明は、上記従来の問題点を解決するためになされたもので、柱上用、傾斜面用、ブランコ作業等のあらゆる作業に使用できる多目的の多機能接続リングを備え、着用者の安全と作業性を高めた、多目的なフルボディハーネスを提供することにある。
【０００５】
【課題を解決するための手段】
本発明のフルボディハーネスは、着用者の胴に締着する胴締めベルトと、該胴締めベルトの両側面に付設される左右の多機能接続リングと、これらの多機能接続リングに両端部がそれぞれ接続される左右の肩ベルトと、上記左右の多機能接続リングにそれぞれ接続される腿掛ベルトから構成されることを特徴とする。
また、上記多機能接続リングが、上下方向にほぼ直線状に延びる胴締めベルト接続部と、該胴締めベルト接続部の上端からほぼ円弧状に湾曲する肩掛ベルト接続部と、該肩掛ベルト接続部の他端から上記胴締めベルト接続部の下端にほぼ直線状に傾斜して延びる腿掛ベルト接続部により全体として環状に構成されることを特徴とする。
さらに、上記腿掛ベルト接続部の内側に内側リングを一体的に設けたことを特徴とする。
又更に、上記胴締めベルト接続部が胴締めベルトの幅より長い寸法を有し、該胴締めベルト接続部が胴締めベルトに対して上下にスライド移動できるように接続されることを特徴とする。
更にまた、上記肩掛ベルト接続部が肩掛ベルトの幅より長い寸法を有し、該肩掛ベルトの両端部が、肩掛ベルト接続部の円弧に沿ってスライド移動するように接続されることを特徴とする。
また、上記腿掛ベルトが、上記腿掛ベルト接続部に接続されることを特徴とする。
さらに、腿掛ベルトに、幅が約５０ｍｍ以上、厚さが２ｍｍ以上のものを使用することを特徴とする。
又更に、左右の腿掛ベルトが、荷重分散ベルトにより一体的に接続されることを特徴とする。
更にまた、上記肩掛ベルトと上記腿掛ベルトを分割構造とすることを特徴とする。
また、肩掛ベルトに装着される肩パットが、ハーネス用Ｄ環止めに連結されることを特徴とする。
さらに、上記多機能接続リングの着用者側にパットを装着することを特徴とするものである。
【０００６】
【発明の実施の形態】
以下、本発明の実施の形態について、図面を参照しながら説明する。
図１Ａおよび図１Ｂにおいて、１は２個の多機能接続リングであって、装着者の腰部両側面の付近にそれぞれ位置し、これらに、着用者の胴に締着される胴締ベルト２と、両肩にそれぞれ掛ける左右の肩掛ベルト３と、左右の腿にそれぞれ掛け回される腿掛ベルト４が接続されている。
【０００７】
図２に拡大して示すように、上記多機能接続リング１は、上下方向にほぼ直線状に延びる胴締めベルト接続部１ａと、該胴締めベルト接続部１ａの上端からほぼ円弧状に湾曲する肩掛ベルト接続部１ｂと、該肩掛ベルト接続部１ｂの他端から上記胴締めベルト接続部１ａの下端にほぼ直線状に傾斜して延びる腿掛ベルト接続部１ｃにより全体として環（リング）状に構成される。上記腿掛ベルト接続部１ｃの内側には内側リング１ｄが一体的に設けられている。
【０００８】
上記胴締めベルト接続部１ａは、胴締めベルト２の幅より長い寸法を有し、図３に示すように、胴締めベルト接続部１ａが胴締めベルト２に対して上下にスライド移動できるように構成されている。
【０００９】
従って、通常の胴締めベルト取付け位置に胴締めベルト２を装着した時は、胴締めベルト２は多機能接続リング１の胴締めベルト接続部１ａの上方（図３実線状態）にあり、落下時または吊下がり時は、その荷重により肩掛ベルト３が引っ張り、多機能接続リング１が吊り上がるが、胴締めベルト２は破線で示すように多機能接続リング１の胴締めベルト接続部１ａを下方にスライド移動する（図３破線状態）ため、胴締めベルト２の位置は着用者が最初に締めていた胴締めベルトの位置と変化することがない。そのため、着用者は胴締めベルト２による危険性がなくなり、あらゆる体型の着用者が安心して安全に使用することが出来る。
【００１０】
また、多機能接続リング１の胴締めベルト接続部１ａの下半部を、リング内側に入り込むように多少角度を付けて傾斜又は湾曲させることで、着用者の吊下がり時の姿勢に、胴締めベルト２の角度を合わせることが出来るため、胴締めベルト２の縁だけが腹部に当たることがなく、より安全にすることが出来る。
【００１１】
上記肩掛ベルト接続部１ｂには、肩掛ベルト３の両端部３ａ、３ｂが接続されている。該肩掛ベルト接続部１ｂは、肩掛ベルト３の幅より長い寸法を有し、図４に示すように、接続された肩掛ベルト３の両端部３ａ、３ｂが肩掛ベルト接続部１ｂの円弧に沿ってスライド移動できるように構成されている。
【００１２】
従って、着用者が前屈み込み動作や仰向け反り動作をする際、リングの中を肩掛ベルト３の両端部３ａ、３ｂが自由にスライド移動することが出来るため、着用者の肩の擦れや突っ張り感等がなくなり、着用者の作業性を高めることができる。
【００１３】
上記肩掛ベルト３と上記腿掛ベルト４を分割構造としたことで、肩掛ベルト３に掛かった荷重は腿掛ベルト４を引き上げる方向のみに作用し、着用者の腿を締め込む方向には作用しなくなる。これにより、落下時に着用者に掛かる腿部の負担は、腿の内側のみとなり、落下時の着用者の安全を向上することができる。
【００１４】
また、肩掛ベルト３と腿掛ベルト４を一体構造とする場合、肩掛けベルトと腿掛けベルトを分割した上で、縫製する際に、肩掛ベルト３の腿掛ベルト４に接続する位置を１つにするのではなく、図５に示すように、腿円周方向に２つに分けることで、腿の締め付けと胸部の締め付けを改善することができる。
【００１５】
上記腿掛ベルト接続部１ｃの内側に上記内側リング１ｄが一体的に形成されているので、これに柱上作業用吊りロープや傾斜面作業用吊りロープなどのロープ（図示せず）を掛け止めできるようになっている。
【００１６】
柱上作業や傾斜面作業では、多機能接続リング１の内側リング１ｄに、従来のランヤードを掛け、着用者が体重を預けると、上記多機能接続リング１が横方向に立ち上がり、その動作により臀部に設けられた荷重分散ベルト５を含めた腿掛ベルト４と、肩掛ベルト２の背中側を前方に引き上げ、胴締めベルト２を後方に押し下げることにより、着用者が、作業姿勢に相応した状態で、背中、腰、臀部に着用者の体重を分散することができる。これにより、柱上作業では着用者の腰の負担を軽くすることができる。
【００１７】
さらに傾斜面作業では、腰部に体重を支える支点があるため、フック又はロープ等により脚の動きを妨げることもなく、作業者は従来よりも自由に行動できることによって、危険回避が積極的に行える。さらに、背中、腰、臀部の３点で作業者を支えるので、作業姿勢が安定する。また、傾斜面上で転倒しても、肩掛ベルト２により安全帯から抜け落ちることがなくなるため、重大事故を防ぐことができる。
【００１８】
また、ブランコ作業では、多機能接続リング１の内側リング１ｄ若しくは１ｂに専用のランヤードを掛けて、作業者が体重を預けると、荷重分散ベルト５を含む腿掛ベルト４に体重が掛かり、木製の板の上に座って作業する体勢とほぼ同じ体勢で作業ができる。さらに、フック等を直接掛けるため、作業者は板の上から落ちるような不安を覚えず、身体を安定させ作業することができる。
【００１９】
腿掛ベルト４の交点をハイレグ型とハチマキ型の中間的な位置に配置し、多機能接続リング１の腿掛ベルト４の接続部１ｃにある角度を持たせること、さらに、腿掛けベルト用バックル部にある角度を持たせて縫製することで、組み合わせた形状が立体的な構成となる。これにより、腿部に腿掛けベルトを巻き付けた時、着用者の身体にフィットすることができ、しゃがみ姿勢をとっても、腿掛ベルト４が弛むことがない。また男性の場合は陰茎や睾丸が身体と腿掛ベルト４の間に入り込む余地がなくなるため、落下時に挟んでしまう危険性を回避することができる。さらに、腿部外側に巻き付け型ではありえない空間が生まれることにより、脚を広げる動作を妨げないので、作業者の作業性を妨げず、より安全作業をすることができる。
【００２０】
腿掛ベルト４に厚みがあり（厚さ２ｍｍ以上）、幅の広いベルト（幅５０ｍｍ以上）を使用することにより、腿掛ベルト４に荷重が掛かっても、皺になりにくく、かつ、広い幅で着用者を支えるため、腿掛けベルトが着用者の腿に与える面圧が下がり、従来品よりも落下時の衝撃を和らげることができる。
【００２１】
図１Ｂで示す荷重分散ベルト５と左右の腿掛ベルト４を、ある角度を持たせて縫製することで、組み合わせた形状が立体的な構成となる。さらに荷重分散ベルト５は装着時、着用者の臀部下側に位置する。落下時若しくは吊り下がり時は、左右の腿掛ベルトに縫製で一体化されているため、多機能接続リング１により引っ張り上げられた力は荷重分散ベルト５に伝わり、荷重分散ベルト５は左右に引っ張られながら着用者の臀部下側に入り込むことによって、着用者の臀部を抱え込む状態になることができる。
【００２２】
従って着用者が落下時若しくは吊り下がり時、両太股内側と、臀部の３点支持で着用者の身体を支えることが出来るため、従来品よりも着用者の負担を大幅に和らげることができる。また、柱上作業や傾斜面作業、ブランコ作業時は、着用者にとって椅子代わりになるため、それぞれの作業による着用者の負担を和らげることができる。
【００２３】
また、背中のハーネス用Ｄ環止め６を利用して、肩パット８を装着することで、フルボディハーネスを快適に使用するための背中のＤ環位置と肩の位置との関係が明確になるため、さらには、縫製で固定しない、後付け方法の肩パットであるため、ユーザーがＤ環の位置を自分の体型に合わせて自由に変えられると共に、自発的に変えることが出来、また、メーカー側はユーザーにフルボディハーネスを快適に使用するための方法を説明し易くなり、ユーザーの不快感も無くすことができる。また、後付け可能にしたため、作業により汚れた場合において、いつでも交換することができるため、非常に衛生的でもある。又更に、純粋に肩パットの役目も果たすため、重いものを肩に担ぐ際、肩への負担を軽減することができる。更にまた、不安定な作業現場において、肩を建造物に押し付け、身体を固定する際、このパットが着用者の肩への負担を軽くすることができる。
【００２４】
また、ベルトの交差する部分を止めている金属製、プラスチック製、革製などのベルト通し等や固定具等の部分の着用者側にパッドを設けることにより、落下時あるいは吊り下がり時の痛みを緩和することが出来る。
【００２５】
【発明の効果】
１）着用者の胴に締着する胴締めベルトと、該胴締めベルトの両側面に付設される左右の多機能接続リングと、これらの多機能接続リングに両端部がそれぞれ接続される左右の肩ベルトと、上記左右の多機能接続リングにそれぞれ接続される腿掛ベルトと、上記左右の腿掛ベルトに一体に接続される荷重分散ベルトから構成され、また、上記多機能接続リングが、上下方向にほぼ直線状に延びる胴締めベルト接続部と該胴締めベルト接続部の上端からほぼ円弧状に湾曲する肩掛ベルト接続部と該肩掛ベルト接続部の他端から上記胴締めベルト接続部の下端にほぼ直線状に傾斜して延びる腿掛ベルト接続部により全体として環状に構成されるので、落下時あるいは柱上作業、傾斜面作業、ブランコ作業等のあらゆる吊り下がり作業時に、胴締めベルト吊り上がり防止機能や、それぞれに身体保持能力の高いベルトを使った、着用者３点支持機能等の機能により従来のフルボディハーネスよりも非常に安全性の高いフルボディハーネスをユーザーに供給することができる。
２）多機能接続リングの、上記腿掛ベルト接続部周辺に内側リングを一体的に設けたので、柱上作業、傾斜面作業、ブランコ作業等のあらゆる作業に使用できる多目的のフルボディハーネスとすることができる。そのため、それぞれの作業用に応じた専用のリング等の金具をフルボディハーネス本体にそれぞれ装着する必要がないため、多機能接続リングは結果的に軽量化となる。また、多目的なフルボディハーネスは、その多目的性から、従来の一本吊り安全帯や、それぞれの作業のために用意された安全帯、作業帯ではできなかった、新たな作業スタイルを構築する可能性を広げられることにより、現状よりもさらなるコスト削減、さらなる業務効率の向上、そしてさらなる現場作業者の安全確保の可能性を、より大きくする効果がある。
【図面の簡単な説明】
【図１Ａ】本発明のフルボディハーネスの全体を示す正面図である。
【図１Ｂ】図１Ａのフルボディハーネスの背面図である。
【図２】図１のフルボディハーネスに使用される多機能接続リングの拡大説明図である。
【図３】図２の多機能接続リングの機能説明である。
【図４】図２の多機能接続リングの別機能説明である。
【図５】肩掛けベルトの桃掛けベルトに縫製接続する位置を２つに分割した別の実施例を示す説明図である。
【符号の説明】
１  多機能接続リング
１ａ  胴締めベルト接続部
１ｂ  肩掛ベルト接続部
１ｃ  腿掛ベルト接続部
１ｄ  内側リング
２  胴締めベルト
３  肩掛ベルト
３ａ、３ｂ  両端部
４  腿掛ベルト
５  荷重分散ベルト
６  ハーネス用Ｄ環止め
７  Ｄ環
８  肩パット
【図１Ａ】
2004275581.tif 000003
【図１Ｂ】
2004275581.tif 000004
【図２】
2004275581.tif 000005
【図３】
2004275581.tif 000006
【図４】
2004275581.tif 000007
【図５】
2004275581.tif 000008